(57)【要約】【課題】洗浄運転時の騒音の低減化を図りながら、扉内部への水分の浸入による悪影響を防止する。【解決手段】洗浄室６の開口部を開閉する下部扉７は、扉内板１５と扉外板１６を組み合わせて構成され、覗き窓１７を備えているとともに、制御ユニット２１を備えている。下部扉７の内部には、当該下部扉７の外周部の下部における扉内板１５と扉外板１６との合わせ目４２と、制御ユニット２１および覗き窓１７との間に位置させて、吸湿性を有する下部吸音材３０を設けた。下部扉７の外周部の上部における扉内板１５と扉外板１６との合わせ目４４と、覗き窓１７および制御ユニット２１との間にも、吸湿性を有する上部吸音材３１を設けた。【選択図】図２
2009201768.tif 000002
【特許請求の範囲】
【請求項１】
洗浄室の開口部を開閉する扉を備えた食器洗浄機において、
前記扉は、前記洗浄室側に臨む扉内板と前記洗浄室の外側となる扉外板とを組み合わせて構成し、前記扉には、外部から前記洗浄室内を覗くことを可能とした覗き窓を設け、
前記扉にあって当該扉の外周部における前記扉内板と前記扉外板との合わせ目と、前記覗き窓との間に位置させて、吸湿性を有する吸音材を設けたことを特徴とする食器洗浄機。
【請求項２】
洗浄室の開口部を開閉する扉を備えた食器洗浄機において、
前記扉は、前記洗浄室側に臨む扉内板と前記洗浄室の外側となる扉外板とを組み合わせて構成し、前記扉の内部には、電子部品を実装した回路基板を設け、
前記扉にあって当該扉の外周部における前記扉内板と前記扉外板との合わせ目と、前記回路基板との間に位置させて、吸湿性を有する吸音材を設けたことを特徴とする食器洗浄機。
【請求項３】
前記吸音材は、前記扉内板若しくは前記扉外板に設けた凸部と、前記扉内板と前記扉外板との挟み込みにより固定する構成としたことを特徴とする請求項１または２記載の食器洗浄機。
【請求項４】
前記扉内板および前記扉外板には互いを連結するための係止部を備えていて、前記吸音材を、前記係止部によって位置決めする構成としたことを特徴とする請求項１または２記載の食器洗浄機。
【請求項５】
前記扉内板若しくは前記扉外板には、前記扉外板の変形を防止するための変形防止用凸部を備えていて、前記吸音材を、前記変形防止用凸部によって位置決めする構成としたことを特徴とする請求項１または２記載の食器洗浄機。
【発明の詳細な説明】
【技術分野】
【０００１】
本発明は、洗浄室の開口部を開閉する扉を、扉内板と扉外板とを組み合わせた構成の食器洗浄機に関する。
【背景技術】
【０００２】
家庭用の食器洗浄機においては、洗浄室の開口部を開閉する扉に覗き窓を設け、機外からその覗き窓を通して洗浄室内の様子を見ることができるようにしたものや、扉の内部に、電子部品を実装した回路基板を配設するようにしたものが供されている。
【０００３】
この種の食器洗浄機においては、静音化のために扉の内部に吸音材を配設し、洗浄運転時（洗い時やすすぎ時）に洗浄ノズルから噴射される洗浄水が扉に当たって発生する際の騒音を低減させるようにしたものが提案されている（例えば、特許文献１参照）。
【特許文献１】特開平７−１６３５０２号公報
【発明の開示】
【発明が解決しようとする課題】
【０００４】
上記した従来構成のものでは、扉の内部に吸音材を設けることで、洗浄運転時の騒音を低減させることが可能である。しかしながら、扉の内部に、例えば洗浄室内の水蒸気などの水分が浸入すると、次のような不具合が発生するおそれがある。扉に覗き窓を設けたものでは、水蒸気で覗き窓が曇り、覗き窓の視認性を損ねるおそれがある。また、扉内部に回路基板を設けたものでは、回路基板に水分が付着して電気絶縁性が低下したり、電子部品を劣化させたりするおそれがある。
【０００５】
本発明は上記した事情に鑑みてなされたものであり、その目的は、洗浄運転時の騒音の低減化を図りながら、扉内部への水分の浸入による悪影響を極力防止できる食器洗浄機を提供することにある。
【課題を解決するための手段】
【０００６】
上記した目的を達成するために、請求項１の食器洗浄機は、洗浄室の開口部を開閉する扉を備えたものにおいて、前記扉は、前記洗浄室側に臨む扉内板と前記洗浄室の外側となる扉外板とを組み合わせて構成し、前記扉には、外部から前記洗浄室内を覗くことを可能とした覗き窓を設け、前記扉にあって当該扉の外周部における前記扉内板と前記扉外板との合わせ目と、前記覗き窓との間に位置させて、吸湿性を有する吸音材を設けたことを特徴とする。
【０００７】
同様な目的を達成するために、請求項２の食器洗浄機は、洗浄室の開口部を開閉する扉を備えたものにおいて、前記扉は、前記洗浄室側に臨む扉内板と前記洗浄室の外側となる扉外板とを組み合わせて構成し、前記扉の内部には、電子部品を実装した回路基板を設け、前記扉にあって当該扉の外周部における前記扉内板と前記扉外板との合わせ目と、前記回路基板との間に位置させて、吸湿性を有する吸音材を設けたことを特徴とする。
【発明の効果】
【０００８】
請求項１の食器洗浄機において、水蒸気等の水分が、扉の外周部における扉内板と扉外板との合わせ目から扉の内部に浸入したとしても、その水分を、吸湿性を有する吸音材にて吸収することで、水分が覗き窓まで到達することを防止できるようになり、覗き窓が曇ってしまうことを極力防止できるようになる。また、扉の内部に前記吸音材を設けているので、その吸音材により、洗浄運転時に発生する騒音の低減化を図ることができる。したがって、洗浄運転時の騒音の低減化を図りながら、扉内部への水分の浸入による悪影響を極力防止できるようになる。
【０００９】
請求項２の食器洗浄機においても、水蒸気等の水分が、扉の外周部における扉内板と扉外板との合わせ目から扉の内部に浸入したとしても、その水分を、吸湿性を有する吸音材にて吸収することで、水分が回路基板まで到達することを防止できるようになり、回路基板に水分が付着してしまうことを極力防止できるようになる。これにより、回路基板における電気絶縁性が低下したり、電子部品を劣化させたりすることを防止できる。また、扉の内部に吸音材を設けているので、その吸音材により、洗浄運転時に発生する騒音の低減化を図ることができる。したがって、請求項２の食器洗浄機においても、洗浄運転時の騒音の低減化を図りながら、扉内部への水分の浸入による悪影響を極力防止できるようになる。
【発明を実施するための最良の形態】
【００１０】
以下、本発明の一実施形態について図面を参照して説明する。
まず、本発明の食器洗浄機の外観を示す図１において、食器洗浄機の本体１は、前面に矩形状の開口部２を有した矩形箱状をなしており、外殻が外箱３により形成され、前下部に前下部カバー４を有している。本体１の前面には、前記開口部２を開閉するための扉体５が設けられている。本体１内には洗浄槽（図示せず）が設けられていて、この洗浄槽の内部を洗浄室６としている。前記開口部２は、洗浄室６の開口部でもある。したがって、扉体５は、洗浄室６の開口部２を開閉する構成となっている。
【００１１】
扉体５は、この場合、それぞれほぼ矩形状をなす下部扉７と上部扉８との２個の扉により構成されていて、これら下部扉７と上部扉８は、図示しないリンク機構によって連動するように連結されている。このうち下部扉７は、下端部の左右両側で本体１に対して回動可能に軸支されており、下方への回動によって開口部２の下部を開放する構成となっている。この下部扉７が、本発明の扉に相当する。
【００１２】
これに対して、上部扉８は、本体１上部に摺動及び回動可能に支持されていて、当該上部扉８の左右両端部に設けられた図示しない支軸が、本体１の上部に形成されたガイド溝９に沿って摺動することにより、閉鎖状態から本体１上方へ移動して開放状態となる構成となっている。上部扉８のほぼ中央部には、洗浄室６内の空気を排出するための排気口１０が設けられている。
【００１３】
上記洗浄室６の内部には、図示はしないが、食器等を載置する食器かごが出し入れ可能に収容されていると共に、洗浄用の噴射ノズル、ヒータ等が配設されている。また、本体１内でかつ洗浄室６の外側に位置させて、ポンプやファン等が配設されている。ここで、噴射ノズルは、食器かご上に載置された食器等に対して洗浄水を噴射し、汚れを落とす洗い行程及びすすぎ行程を実施するためのものである。ポンプは、洗い時およびすすぎ時に噴射ノズルに洗浄水を供給し、排水時には洗浄水を洗浄室６の外部へ排出するためのものである。ヒータは、洗い行程及びすすぎ行程時の洗浄水の加熱に供すると共に、乾燥行程時に温度を上昇させ、ファンによって乾燥風を食器等に吹き付けて乾燥に供するものである。
【００１４】
上記扉体５のうち、下部扉７の左右両端部には、図示はしないがロック手段を構成するロック爪が設けられている。このロック爪は、本体１側に設けられた図示しない被係止部に係止することにより、下部扉７を、本体１に対して閉鎖状態にロックするものである。下部扉７の前面部には、左右方向の中央部の上部に位置させて、左右方向に長い開ボタン１１が押圧操作可能に設けられている。また、下部扉７と上部扉８とを連結する上記リンク機構は、これら下部扉７および上部扉８を開放する向きに図示しないばねによって付勢されている。ここで、扉体５の閉鎖状態で開ボタン１１が押圧操作されると、前記ロック爪が被係止部から解放され、ばねの付勢力によって自動的に下部扉７は下方に向けて回動されると共に、上部扉８は支軸が摺動して上方へ移動する。そして、さらに下部扉７を押し下げることにより、下部扉７および上部扉８、したがって扉体５は開放状態となる。下部扉７は、開放状態でほぼ水平状態となる。
【００１５】
次に、上記下部扉７の詳細構造について、図２〜図５も参照して説明する。下部扉７は、基本的には、合成樹脂製の扉内板１５と、同じく合成樹脂製の扉外板１６とを組み合わせて中空状に構成されていて、前記開ボタン１１のすぐ下方に位置させて覗き窓１７を備えている。下部扉７の閉鎖状態で、扉内板１５は洗浄室６側に臨み、扉外板１６は洗浄室６の外側に存することになる。覗き窓１７は、図２および図３に示すように、内窓１８と外窓１９の二重構造となっている。これら内窓１８および外窓１９はそれぞれ透明な合成樹脂製の板材により構成されていて、外部（機外）から、これら外窓１９および内窓１８を通して洗浄室６内の様子を覗くことが可能な構成となっている。
【００１６】
外窓１９は、内窓１８よりも大きめの矩形状に形成されている。内窓１８は、扉内板１５にねじ止めなどにより取り付けられている。内窓１８の周縁部と扉内板１５との間には、シール部材２０が介在されていて、洗浄室６内の洗浄水が覗き窓１７内に浸入することを防止する構成としている。
【００１７】
外窓１９の下部の背部側には、制御ユニット２１が設けられている。この制御ユニット２１は、扉外板１６に一体に設けられたパネル部２２と、このパネル部２２の背部側に設けられたケース２３と、このケース２３内に配設された回路基板２４とを備えている。回路基板２４には、押圧操作式の複数個のスイッチ２５や、表示素子を構成する複数個の発光ダイオード２６などの電子部品が実装されている。外窓１９には、各スイッチ２５に対応して押釦２７が設けられている。また、外窓１９の表面にはフィルム２８が貼り付けられていて、各押釦２７もそのフィルム２８により覆われている。フィルム２８を介して押釦２７を押圧することで、対応するスイッチ２５を押圧操作できる構成となっている。
【００１８】
下部扉７の内部には、制御ユニット２１の下方に位置させて下部吸音材３０が配置されているとともに、開ボタン１１の上方に位置させて上部吸音材３１が配置されている。これら下部吸音材３０および上部吸音材３１は、それぞれ吸湿性を有する部材、この場合フェルトにより構成されている。また、これら下部吸音材３０および上部吸音材３１は、積層方向（フェルトの積層方向）が下部扉７の内外方向に沿っていて、扉内板１５と扉外板１６とにより積層方向から挟み込まれた形態で固定されている。これら下部吸音材３０および上部吸音材３１は、扉内板１５と扉外板１６とにより挟み込まれることで、それぞれ扉内板１５の前面と扉外板１６の裏面とに密接している。
【００１９】
このうち、下部吸音材３０は、次のようにして下部扉７の内部に組み込まれている。まず、下部吸音材３０は、扉内板１５の前面に図５に示すように配置される。このとき、下部吸音材３０は、回路基板２４の下方に配置される左右方向に延びる部分と、内窓１８（覗き窓１７）の左右両側部付近まで配置される立ち上がり部分とを有し、全体として、上部側が開口したほぼコ字形をなしている。なお、開ボタン１１の左右両側には、揺動アーム１１ａが設けられていて、下部吸音材３０の左右両側部は、それら揺動アーム１１ａを避けて配置されている。
【００２０】
下部吸音材３０には、下部の複数個所、この場合４箇所に、矩形状の孔３０ａが形成されていて、これら各孔３０ａに、扉内板１５の下部の前面に設けられた係止爪（係止部に相当）３２を挿入させることにより、扉内板１５に対する下部吸音材３０の位置決めをしている。扉外板１６の裏面には、図４に示すように、前記係止爪３２に対応して４個の係止爪（係止部に相当）３３が設けられていて、これら係止爪３２と係止爪３３とを孔３０ａ内において係止させることにより、扉内板１５と扉外板１６とが連結されている。
【００２１】
この場合、係止爪３２と下部吸音材３０の左右方向（横方向）の位置決めは、図４に示すように、各係止爪３２にあって突部３２ａのない側の側面３２ｂを、下部吸音材３０における孔３０ａの内面に接するようにしているので、係止爪３２と係止爪３３の係止時に、下部吸音材３０と係止爪３３とが当たることを防止でき、作業性を向上できる。
【００２２】
また、図１に示すように、扉内板１５の前面にあって下部吸音材３０に対応する部分には、先端が針状をなす凸部３４が前方に向けて突設されているとともに、扉外板１６の裏面にあって下部吸音材３０に対応する部分にも、先端が針状をなす凸部３５が後方に向けて突設されていて、これら凸部３４および凸部３５が、下部吸音材３０に前後方向から突き刺さっている。扉内板１５の前面には、図３に示すように、覗き窓１７（内窓１８）の側方に対応する部分にも先端が針状をなす凸部３４が複数本突設されていて、これら凸部３４が下部吸音材３０に後方から突き刺さっている。
【００２３】
扉内板１５の下部には、当該扉内板１５の下縁部に沿うようにしてパッキン３６が取り付けられている。このパッキン３６は、図２に示すように、下部扉７の閉鎖状態で、洗浄槽前部３７に接触して、下部扉７と洗浄槽前部３７との間を水密にシールする。
【００２４】
前記上部吸音材３１は、次のようにして下部扉７の内部に組み込まれている。上部吸音材３０は、図５に示すように、扉内板１５の前面に、開ボタン１１の上方に位置させて左右方向に長く延びるように配置する。このとき、扉内板１５の前面には、開ボタン１１の上方に位置させて、それぞれ左右方向に延びるリブからなる変形防止用凸部３８が、複数個所、この場合３箇所に設けられていて、上部吸音材３１は、これら変形防止用凸部３８によって位置決めがなされている。これら変形防止用凸部３８は、先端部が扉外板１６の裏面側に当接することで、扉外板１６が外側から押圧された際に当該扉外板１６が変形することを防止する機能がある（図２参照）。また、図２示すように、扉内板１５の前面にあって上部吸音材３１に対応する部分には、先端が針状をなす凸部３９が前方に向けて突設されていて、この凸部３９が、上部吸音材３１に後方から突き刺さっている。
【００２５】
下部扉７の上縁部にもパッキン４０が取り付けられていて、扉体５の閉鎖状態で、このパッキン４０が上部扉８の受け部４１に接触して、下部扉７と上部扉８との間をシールする構成となっている。
【００２６】
ここで、前記下部吸音材３０は、下部扉７において、下部扉７の下部の外周部における扉内板１５と扉外板１６との合わせ目４２（図２参照）と、覗き窓１７および制御ユニット２１（回路基板２４）との間に配置されているとともに、下部扉７の左右両側部の外周部における扉内板１５と扉外板１６との合わせ目４３（図３参照）と、覗き窓１７および制御ユニット２１（回路基板２４）との間に配置されている。また、上部吸音材３１は、下部扉７において、下部扉７の上部の外周部における扉内板１５と扉外板１６との合わせ目４４（図２参照）と、覗き窓１７および制御ユニット２１（回路基板２４）との間に配置されている。
【００２７】
なお、前記上部扉８は、図２に示すように、内板４５と、外板４６とを組み合わせて中空状に構成されている。前記受け部４１は、内板４５に設けられている。また、図２において、前記前下部カバー４と洗浄槽前部３７との間には、電源ユニット４７が配設されている。この電源ユニット４７は、ユニットケース４８内に、電子部品４９を実装した回路基板５０を配設した構成となっている。電源ユニット４７の回路基板５０と、前記制御ユニット２１の回路基板２４とは、リード線５１で電気的に接続されている。
【００２８】
上記した構成において、洗い行程やすすぎ行程、乾燥行程は、扉体５が閉鎖された状態で行われる。この場合、下部扉７の下部におけるパッキン３６が洗浄槽前部３７に接触することで、洗浄室６に発生する水蒸気が、下部扉７の下部の外周部における扉内板１５と扉外板１６との合わせ目４２（図２参照）から下部扉７の内部に浸入することが防止される構成となっている。しかしながら、パッキン３６の変形や、パッキン３６の取付状態のばらつき、あるいはパッキン３６の劣化などにより、洗浄室６内の水蒸気を完全にはシールできない場合があり、このような場合には、水蒸気が、前記合わせ目４２から下部扉７内に浸入し、制御ユニット２１や覗き窓１７まで達するおそれがある。
【００２９】
この点、本実施形態においては、それら制御ユニット２１および覗き窓１７の下方には、吸湿性を有する下部吸音材３０を配設しているので、水蒸気等の水分をその下部吸音材３０に吸収することで、水蒸気等の水分が制御ユニット２１や覗き窓１７まで達することを効果的に防止することができる。これにより、制御ユニット２１の回路基板２４に水分が付着したり、覗き窓１７内が結露で曇ったりすることを防止できる。
【００３０】
上記した実施形態によれば、次のような作用効果を得ることができる。
下部扉７において、当該下部扉７の下部外周部における扉内板１５と扉外板１６との合わせ目４２と、制御ユニット２１および覗き窓１７との間に位置させて、吸湿性を有する下部吸音材３０を設けた構成とした。これにより、水蒸気等の水分が、下部扉７の下部外周部における前記合わせ目４２から下部扉７の内部に浸入したとしても、その水分を、下部吸音材３０にて吸収することで、水分が制御ユニット２１や覗き窓１７まで到達することを防止できるようになり、制御ユニット２１の回路基板２４に水分が付着したり、覗き窓１７内が結露で曇ったりする不具合を効果的に防止できる。
【００３１】
下部吸音材３０の左右両側部の上部は、下部扉７の左右両側部の外周部における扉内板１５と扉外板１６との合わせ目４３と、制御ユニット２１（回路基板２４）および覗き窓１７との間にも配置されているから、横方向から浸入する水分に対しても制御ユニット２１（回路基板２４）および覗き窓１７を保護することができる。
【００３２】
さらに、下部扉７において、当該下部扉７の上部の外周部における扉内板１５と扉外板１６との合わせ目４４と、覗き窓１７および制御ユニット２１（回路基板２４）との間にも、吸湿性を有する上部吸音材３１を配置しているので、特に前記合わせ目４４から洗浄水が浸入したとしても（図２の矢印Ａ参照）、その水分を上部吸音材３１にて吸収することで、水分が覗き窓１７や制御ユニット２１まで到達することを防止できる。
【００３３】
そして、下部扉７の内部に下部吸音材３０および上部吸音材３１を設けているので、それら下部吸音材３０および上部吸音材３１により、洗浄運転時（洗い時やすすぎ時）に洗浄水が下部扉７に当たって発生する騒音を低減化できることは勿論である。
【００３４】
洗い時、最終すすぎ時、乾燥時には、洗浄室６内に設けたヒータにより洗浄水や洗浄室６内を加熱するので、洗浄室６内は高温となり、その熱で下部扉７も加熱される。このときの熱が、扉内板１５から扉外板１６側に伝達されて扉外板１６も温度が高くなるおそれがある。特に本実施形態のように下部扉７に開ボタン１１があるような場合には、その開ボタン１１の周りを使用者が触れるおそれがある。本実施形態のように、下部扉７内に吸湿性を有する下部吸音材３０および上部吸音材３１を設けておくことで、それら下部吸音材３０および上部吸音材３１が断熱材の機能を発揮し、扉外板１６が高温となることを極力防止できるようになる。
【００３５】
下部吸音材３０は、扉内板１５に設けた凸部３４および扉外板１６に設けた凸部３５と、扉内板１５と扉外板１６との挟み込みにより固定する構成としたので、下部吸音材３０を接着剤や両面テープを用いて固定する場合に比べて、固定作業が簡単で、しかも安価にできる。
【００３６】
上部吸音材３１も、扉内板１５に設けた凸部３９と、扉内板１５と扉外板１６との挟み込みにより固定する構成としたので、上部吸音材３１を接着剤や両面テープを用いて固定する場合に比べて、固定作業が簡単で、しかも安価にできる。
【００３７】
下部吸音材３０を扉内板１５の前面に配置する際に、その下部吸音材３０を、扉内板１５と扉外板１６とを連結するための係止爪３２によって位置決めする構成としたので、下部吸音材３０の位置決めが容易にでき、しかも、位置決め専用の部材を設ける必要もなくすことができる利点がある。
【００３８】
上部吸音材３１を扉内板１５の前面に配置する際に、その上部吸音材３１を、扉外板１６の変形を防止するための変形防止用凸部３８によって位置決めする構成としたので、上部吸音材３１の位置決めが容易にでき、しかも、位置決め専用の部材を設ける必要もなくすことができる利点がある。
【００３９】
本発明は上記した実施形態にのみ限定されるものではなく、次のように変形もしくは拡張することができる。
扉体５は、下部扉７と上部扉８の２枚に分割された扉に限られず、１枚扉であってもよい。
下部扉７において、覗き窓１７と回路基板２４の両方を備えている必要はなく、どちらか一方のみを備えているものに適用できる。
下部扉７において、下部吸音材３０と上部吸音材３１のどちらか一方のみを備えていてもよい。下部吸音材３０は、左右両側部に立ち上がり部を有し、側部吸音材を一体に有した構成となっているが、下部吸音材と側部吸音材とに分けることもできる。
【００４０】
扉内板１５の凸部３４，３９および扉外板１６の凸部３５は、それぞれ下部吸音材３０または上部吸音材３１に突き刺さった形態となっているが、必ずしも突き刺さる必要はなく、それら凸部は、例えば格子状のリブとして、下部吸音材３０または上部吸音材３１を押圧する形態としてもよい。
変形防止用凸部３８は、リブに限らず、柱状でもよく、また、扉外板１６側に設けるようにしてもよい。
【図面の簡単な説明】
【００４１】
【図１】本発明の一実施形態を示す食器洗浄機の外観斜視図
【図２】図１のＸ１−Ｘ１線に沿う縦断側面図
【図３】図１のＸ２−Ｘ２線に沿う横断面図
【図４】図１のＸ３−Ｘ３線に沿う横断面図
【図５】扉内板の前面に下部吸音材および上部吸音材を配置した状態での正面図
【符号の説明】
【００４２】
図面中、１は本体、２は開口部、５は扉体、６は洗浄室、７は下部扉（扉）、８は上部扉、１５は扉内板、１６は扉外板、１７は覗き窓、２８は内窓、１９は外窓、２１は制御ユニット、２４は回路基板、２５はスイッチ（電子部品）、２６は発光ダイオード（電子部品）、３０は下部吸音材（吸音材）、３１は上部吸音材（吸音材）、３２，３３は係止爪（係止部）、３４，３５は凸部、３８は変形防止用凸部、３９は凸部、４２，４３，４４は合わせ目を示す。
【図１】
2009201768.tif 000003
【図２】
2009201768.tif 000004
【図３】
2009201768.tif 000005
【図４】
2009201768.tif 000006
【図５】
2009201768.tif 000007